(57)【要約】    【課題】  異常時の応答性を高めると共に誤作動を回避し、しかも的確な温度制御を実現する。    【解決手段】  加熱ローラ２１及び定着ローラ２２に巻き掛けられる加熱ベルト２３と、定着ローラに対する加熱ベルトの巻き掛け部分との間に記録紙Ｓを挟み込む定着ニップ部２５を形成する加圧ローラ２６と、加熱ローラに対する加熱ベルトの巻き掛け部分に対向配置されて電磁誘導作用により加熱ベルトを発熱させるコイル２８と、正常時温度制御のために加熱ベルトにおける定着ニップ部近傍部分の温度を検出するサーミスタ３５と、加熱ベルトにおける電磁誘導昇温部分が所定の温度を超えるとコイルへの給電を停止するサーモスタット３２とを具備するものとする。【選択図】    図２
2005037858.tif 000002
【特許請求の範囲】
【請求項１】
加熱ローラ及び定着ローラに巻き掛けられる加熱ベルトと、前記定着ローラに対する前記加熱ベルトの巻き掛け部分との間に画像形成媒体を挟み込む定着ニップ部を形成する加圧ローラと、前記加熱ローラに対する前記加熱ベルトの巻き掛け部分に対向配置されて電磁誘導作用により加熱ベルトを発熱させる電磁誘導加熱手段と、正常時温度制御のために前記加熱ベルトにおける定着ニップ部近傍部分の温度を検出する温度検出手段と、前記加熱ベルトにおける電磁誘導昇温部分の温度に基づいて前記電磁誘導加熱手段への給電を停止する異常時給電停止手段とを具備することを特徴とする定着装置。
【請求項２】
前記異常時給電停止手段は、測温部を前記電磁誘導加熱手段に対向させた状態で、筒状をなす前記加熱ローラの内部のスペースに収容されたことを特徴とする請求項１に記載の定着装置。
【請求項３】
前記異常時給電停止手段は、測温部を前記電磁誘導加熱手段に対向させた状態で、前記加熱ローラの外部でかつ前記加熱ベルトの内側のスペースに配設されたことを特徴とする請求項１に記載の定着装置。
【請求項４】
前記温度検出手段は、前記加熱ベルトの内側のスペースに配設されたことを特徴とする請求項１に記載の定着装置。
【請求項５】
前記温度検出手段は、前記定着ニップ部の上流側に配設されたことを特徴とする請求項１に記載の定着装置。
【請求項６】
前記温度検出手段は、前記定着ニップ部の下流側に配設されたことを特徴とする請求項１に記載の定着装置。
【請求項７】
前記温度検出手段は、前記定着ニップ部の上流側と下流側との双方に配設されたことを特徴とする請求項１に記載の定着装置。
【請求項８】
前記異常時給電停止手段は、測温部となるバイメタル部材により可動接点を動作させるサーモスタットであることを特徴とする請求項１に記載の定着装置。
【請求項９】
前記異常時給電停止手段は、所定温度に到達すると溶断する温度ヒューズであることを特徴とする請求項１に記載の定着装置。
【請求項１０】
前記異常時給電停止手段が、前記加熱ベルトにおける電磁誘導昇温部分が所定の温度を越えて前記電磁誘導加熱手段への給電を停止すると、装置の動作を制限し、かつ異常が発生した旨を外部に通知する制御手段を具備することを特徴とする請求項１に記載の定着装置。
【請求項１１】
前記温度検出手段を保持する保持部材が断熱材で覆われたことを特徴とする請求項１に記載の定着装置。
【請求項１２】
前記異常時給電停止手段を保持する保持部材が断熱材で覆われたことを特徴とする請求項１に記載の定着装置。
【請求項１３】
加熱ローラ及び定着ローラに巻き掛けられる加熱ベルトと、前記定着ローラに対する前記加熱ベルトの巻き掛け部分との間に画像形成媒体を挟み込む定着ニップ部を形成する加圧ローラと、前記加熱ローラに対する前記加熱ベルトの巻き掛け部分に対向配置されて電磁誘導作用により加熱ベルトを発熱させる電磁誘導加熱手段と、正常時温度制御のために前記加熱ベルトにおける定着ニップ部近傍部分の温度を検出する温度検出手段と、前記加熱ベルトにおける電磁誘導昇温部分の温度に基づいて前記電磁誘導加熱手段への給電を停止する異常時給電停止手段とを具備する定着装置を備えたことを特徴とする画像形成装置。
【請求項１４】
前記異常時給電停止手段は、測温部を前記電磁誘導加熱手段に対向させた状態で、筒状をなす前記加熱ローラの内部のスペースに収容されたことを特徴とする請求項１３に記載の画像形成装置。
【請求項１５】
前記異常時給電停止手段は、測温部を前記電磁誘導加熱手段に対向させた状態で、前記加熱ローラの外部でかつ前記加熱ベルトの内側のスペースに配設されたことを特徴とする請求項１３に記載の画像形成装置。
【請求項１６】
前記温度検出手段は、前記加熱ベルトの内側のスペースに配設されたことを特徴とする請求項１３に記載の画像形成装置。
【請求項１７】
前記温度検出手段は、前記定着ニップ部の上流側に配設されたことを特徴とする請求項１３に記載の画像形成装置。
【請求項１８】
前記温度検出手段は、前記定着ニップ部の下流側に配設されたことを特徴とする請求項１３に記載の画像形成装置。
【請求項１９】
前記温度検出手段は、前記定着ニップ部の上流側と下流側との双方に配設されたことを特徴とする請求項１３に記載の画像形成装置。
【請求項２０】
前記異常時給電停止手段は、測温部となるバイメタル部材により可動接点を動作させるサーモスタットであることを特徴とする請求項１３に記載の画像形成装置。
【請求項２１】
前記異常時給電停止手段は、所定温度に到達すると溶断する温度ヒューズであることを特徴とする請求項１３に記載の画像形成装置。
【請求項２２】
前記異常時給電停止手段が、前記加熱ベルトにおける電磁誘導昇温部分が所定の温度を越えて前記電磁誘導加熱手段への給電を停止すると、装置の再起動を制限し、かつ異常が発生した旨を外部に通知する制御手段を具備することを特徴とする請求項１３に記載の画像形成装置。
【請求項２３】
前記温度検出手段を保持する保持部材が断熱材で覆われたことを特徴とする請求項１３に記載の画像形成装置。
【請求項２４】
前記異常時給電停止手段を保持する保持部材が断熱材で覆われたことを特徴とする請求項１３に記載の画像形成装置。
【発明の詳細な説明】
【技術分野】
【０００１】
本発明は、電磁誘導作用により加熱ベルトを加熱する電磁誘導加熱型定着装置及びこれを備えた画像形成装置に関するものである。
【背景技術】
【０００２】
画像形成装置（プリンタ、ＦＡＸ、複写機など）においては、記録紙の上に転写されたトナー像を記録紙に定着させるために定着装置が備えられている。この定着装置では、近年、加熱ローラなどの加熱媒体を電磁誘導作用により生じるジュール熱で加熱する電磁誘導加熱方式によるものが省エネルギーの観点から注目されている。特に加熱媒体に無端帯状の加熱ベルトを用いた構成（特許文献１参照。）では、加熱ローラよりも熱容量が小さくなるため、温度の立ち上がりが早く、消費電力をより一層削減することができる。
【特許文献１】特開２００２−１４５６６号公報（第１図）
【発明の開示】
【発明が解決しようとする課題】
【０００３】
このような電磁誘導加熱型定着装置では、加熱ベルトが適切な温度状態に維持されるように、加熱ベルトの適所の温度をサーミスタで検出して電磁誘導発生用のコイルに印加する交流電圧を制御するようになっているが、このような正常時の温度制御の他に、加熱ベルトの停止などによる異常な高温状態を検知してコイルへの給電を停止する構成とすることが安全性を高める上で望ましい。
【０００４】
これに対し、前記従来技術では、一対のサーミスタで検出された温度を比較してその温度差が所定のしきい値を上回ることで異常と判定してコイルへの給電を停止する構成となっている。しかしながら、異常を迅速に検知して電源を遮断するにはサーモスタットなどの熱応動スイッチが応答性の観点から優れており、この種の熱応動スイッチをサーミスタと併用する構成が望ましい。
【０００５】
この場合、加熱ベルトの周辺に熱応動スイッチ及びサーミスタの双方を配置することになるが、熱応動スイッチによる電源遮断の応答性を高めると共に誤作動を避ける上で、またサーミスタの検出温度による温度制御の精度及び安定性を高める上で、熱応動スイッチ及びサーミスタをそれぞれ適切な位置に配置する必要があり、またこれらの部品の配置位置を工夫して定着装置が大型化する不都合を避けることが望まれる。さらに熱応動スイッチ及びサーミスタの配設に伴って加熱ベルト周辺の部品点数が増加するが、この部品点数の増加は、伝熱による熱損失を増大させてウォームアップ時間を引き延ばす原因となることから、所要の対策を講じることが望まれる。
【０００６】
本発明は、このような従来技術の問題点を解消するべく案出されたものであり、その主な目的は、異常時の応答性を高めると共に誤作動を抑制し、しかも的確な温度制御を実現することができ、さらに装置の大型化を抑えることができるように構成された電磁誘導加熱型定着装置及びこれを備えた画像形成装置を提供することにある。さらに本発明は、前記目的達成のために生じる部品点数の増加に伴ってウォームアップ時間が増大することを抑えることができる構成とすることも目的としている。
【課題を解決するための手段】
【０００７】
このような目的を果たすために、本発明においては、請求項１及び請求項１３に示すとおり、加熱ローラ及び定着ローラに巻き掛けられる加熱ベルトと、前記定着ローラに対する前記加熱ベルトの巻き掛け部分との間に画像形成媒体を挟み込む定着ニップ部を形成する加圧ローラと、前記加熱ローラに対する前記加熱ベルトの巻き掛け部分に対向配置されて電磁誘導作用により加熱ベルトを発熱させる電磁誘導加熱手段と、正常時温度制御のために前記加熱ベルトにおける定着ニップ部近傍部分の温度を検出する温度検出手段と、前記加熱ベルトにおける電磁誘導昇温部分の温度に基づいて前記電磁誘導加熱手段への給電を停止する異常時給電停止手段とを具備するものとした。
【０００８】
これによると、加熱ベルトにおける電磁誘導昇温部分の温度に基づいて電磁誘導加熱手段への給電を停止する異常時給電停止手段により異常時の応答性を高めると共に誤作動を抑制することができ、しかも加熱ベルトにおける定着ニップ部近傍部分の温度を温度検出手段により検出することで正常時温度制御を的確に行うことができる。
【０００９】
さらに請求項２及び請求項１４に示すとおり、前記異常時給電停止手段は、測温部を前記電磁誘導加熱手段に対向させた状態で、筒状をなす前記加熱ローラの内部のスペースに収容された構成をとることができる。これによると、電磁誘導加熱手段により昇温した加熱ベルトの部分の温度が加熱ローラの周壁を介して測温され、特にジャムを起こした画像形成媒体（記録紙など）と相反する側から測温することができるため、異常加熱状態を迅速かつ正確に検知することができる。その上、加熱ローラの周囲に配置スペースを確保する必要がなくなり、装置の大型化を抑えることができる。
【００１０】
また請求項３及び請求項１５に示すとおり、前記異常時給電停止手段は、測温部を前記電磁誘導加熱手段に対向させた状態で、前記加熱ローラの外部でかつ前記加熱ベルトの内側のスペースに配設された構成をとることができる。これによると、加熱ローラの内部に収容スペースを確保する必要がなくなるので、加熱ローラの小型化を実現することができる。また、コイルによる発熱効率を上げるための高透磁率層（磁性コア）などを加熱ローラの内部に配設することが可能になる。
【００１１】
さらに請求項４及び請求項１６に示すとおり、前記温度検出手段は、前記加熱ベルトの内側のスペースに配設された構成をとることができる。これによると、加熱ベルトの内側の空きスペースに温度検出手段が配設されるので、温度検出手段の配置スペースを別途確保する必要がなく、装置の大型化を抑えることができる。
【００１２】
さらに請求項５及び請求項１７に示すとおり、前記温度検出手段は、前記定着ニップ部の上流側に配設された構成をとることができる。これによると、電磁誘導加熱手段により加熱された加熱ベルトの温度を電磁誘導加熱手段の下流側で監視するため、安定した定着温度制御を行うことができ、しかも温度検出手段の配置個数を削減して低コスト化を図ることができる。
【００１３】
さらに請求項６及び請求項１８に示すとおり、前記温度検出手段は、前記定着ニップ部の下流側に配設された構成をとることができる。これによると、画像形成媒体に対する定着処理による温度降下を検出することができるため、記録紙の先端が進入した直後、並びに記録紙の後端が抜け出した直後の温度制御を迅速且つ的確に行うことができ、しかも温度検出手段の配置個数を削減して低コスト化を図ることができる。
【００１４】
さらに請求項７及び請求項１９に示すとおり、前記温度検出手段は、前記定着ニップ部の上流側と下流側との双方に配設された構成をとることができる。これによると、上流側の温度検出手段により安定した定着温度制御を行うことができ、しかも下流側の温度検出手段により画像形成媒体（記録紙など）の通過状態に応じた迅速且つ的確な温度制御を行うことができる。
【００１５】
さらに請求項８及び請求項２０に示すとおり、前記異常時給電停止手段は、所定温度に到達すると断線状態になる熱応動スイッチ、特に測温部となるバイメタル部材により可動接点を動作させるサーモスタットである構成をとることができる。これによると、異常高温時の給電停止を簡単かつ応答性良く実現することができる。
【００１６】
また請求項９及び請求項２１に示すとおり、前記異常時給電停止手段は、所定温度に到達すると断線状態になる熱応動スイッチ、特に所定温度に到達すると溶断する温度ヒューズである構成をとることができる。これによると、異常高温時の給電停止を簡単かつ小型・低コストに実現することができる。
【００１７】
さらに請求項１０及び請求項２２に示すとおり、前記異常時給電停止手段が、前記加熱ベルトにおける電磁誘導昇温部分が所定の温度を越えて前記電磁誘導加熱手段への給電を停止すると、装置の動作を制限し、かつ異常が発生した旨を外部に通知する制御手段を具備する構成をとることができる。これによると、装置を操作するオペレータなどに過昇温による異常状態を的確に知らせることができ、しかも異常による装置の損傷のさらなる拡大を防止することができる。
【００１８】
さらに請求項１１及び請求項２３に示すとおり、前記温度検出手段を保持する保持部材が断熱材で覆われた構成をとることができる。また請求項１２及び請求項２４に示すとおり、前記異常時給電停止手段を保持する保持部材が断熱材で覆われた構成をとることができる。これによると、電磁誘導加熱手段による昇温時に、保持部材自体への伝熱並びに保持部材を介した外部への放熱により熱が奪われることを抑制して、ウォームアップ時間を短縮することができる。
【００１９】
この場合、断熱材は、熱伝導率が小さく耐熱性を有する高分子材料、特にシリコーンゴムなどのゴム材料が好適である。また熱収縮チューブ、すなわちポリオレフィン及びフッ素樹脂などの熱収縮性の材料にて予め筒状に成形され、加熱により保持部材に密着固定させることができるものであれば、組み立て工数を削減して製造コストを低減することができる。また、筒状をなす加熱ローラの内部のスペースにサーモスタットなどの異常時給電停止手段を収容する構成、並びに加熱ベルトの内側のスペースにサーミスタなどの温度検出手段を配設する構成では、それぞれの保持部材が加熱ローラ及び加熱ベルトの幅方向に長く延在するものとなるため、これらの保持部材の外周を覆う筒状のものが好適である。
【発明の効果】
【００２０】
このように本発明によれば、加熱ベルトにおける電磁誘導昇温部分の温度に基づいて電磁誘導加熱手段への給電を停止する異常時給電停止手段により異常時の応答性を高めると共に誤作動を抑制することができ、しかも加熱ベルトにおける定着ニップ部近傍部分の温度を温度検出手段により検出することで正常時温度制御を的確に行うことができる。
【発明を実施するための最良の形態】
【００２１】
以下、本発明の実施の形態を、図面を参照しながら説明する。
【００２２】
図１は、本発明が適用された複写機の概略構成を示す模式的な断面図である。この複写機（画像形成装置）は、原稿の画像を読み取る原稿読取部１と、ここで読み取った原稿の画像をトナーで記録紙（画像形成媒体）上に形成する画像形成部２と、ここで記録紙上に形成されたトナー像を定着させる定着部（定着装置）３とを有し、画像形成部２には給紙部４から記録紙が供給され、定着部３で定着処理が終わった記録紙が排紙部５に排出される。
【００２３】
画像形成部２では、帯電ローラ１１により一様に帯電された感光体ドラム１２に対してレーザ走査ユニット１３からレーザ光が照射されて感光体ドラム１２の像形成面上に静電潜像が形成された後、現像ユニット１４内のトナーが現像ローラ１５を介して感光体ドラム１２に供給されることでその像形成面上の静電潜像が現像され、これにより形成されたトナー像が転写ローラ１６により記録紙に転写される。
【００２４】
図２は、図１に示した定着部の第１の実施形態を詳細に示す断面図である。定着部３は、加熱ローラ２１及び定着ローラ２２に巻き掛けられる加熱ベルト２３と、定着ローラ２２に対する加熱ベルト２３の巻き掛け部分との間に記録紙Ｓを挟み込む定着ニップ部２５を形成する加圧ローラ２６と、加熱ローラ２１に対する加熱ベルト２３の巻き掛け部分に対向配置されて電磁誘導作用により加熱ベルト２３及び加熱ローラ２１を発熱させるコイル（電磁誘導加熱手段）２８とを有しており、定着ローラ２２と加圧ローラ２６との間で加熱ベルト２３が記録紙Ｓを押圧しつつ加熱してトナー像Ｔを記録紙Ｓに定着させる。
【００２５】
コイル２８は、加熱ローラ２１を中心にした略半円形の断面領域に渡って加熱ローラ２１の周囲を覆うようにコイルホルダ２９に保持されており、このコイルホルダ２９は、電磁誘導作用による発熱を防止するために耐熱性樹脂で形成されている。またコイル２８は、コイルホルダ２９と相反する側をハウジング３０で覆われており、このハウジング３０は、コイル２８が発生する交番磁界を遮断可能な磁気遮蔽材料（例えばアルミニウム合金）で形成されている。
【００２６】
また定着部３には、加熱ベルト２３における電磁誘導昇温部分が所定の温度を超えるとコイル２８への給電を停止するサーモスタット（異常時給電停止手段）３２が設けられている。このサーモスタット３２は、バイメタル部材（測温部）３３をコイル２８に対向させた状態で、筒状をなす加熱ローラ２１の内部のスペースに収容されており、加熱ローラ２１の周壁内面からの輻射熱及び雰囲気温度の上昇によりバイメタル部材３３が所定の温度以上に昇温するとバイメタル部材３３が可動接点を動作させて断線状態となる。なお、サーモスタット３２は、一旦断線状態となるとサービスマンなどによる取り替えが必要になる非復帰型のものである。
【００２７】
さらに定着部３には、加熱ベルト２３における定着ニップ部近傍部分の温度を検出するサーミスタ（温度検出手段）３５が設けられている。このサーミスタ３５は、加熱ベルト２３の内側のスペースに配設されており、加熱ベルト２３における記録紙Ｓのトナー像形成面に接触する面と相反する側の裏面に当接して加熱ベルト２３の温度を検出する。サーミスタ３５は、適切な接触圧をもって常時加熱ベルト２３に接触した状態に保持されるように板ばね３６を介してセンサステー３７に支持されている。
【００２８】
特にここでは、サーミスタ３５は、定着ニップ部２５の上流側に配設されており、コイル２８の下流側でコイル２８により加熱された加熱ベルト２３の温度を監視するため、目標温度への最適化を行いやすく、安定した定着温度制御を行うことができる。
【００２９】
図３は、図２に示した定着部の要部を拡大して示している。コイル２８は、これが発生する交番磁束により加熱ベルト２３及び加熱ローラ２１の導体部に渦電流を発生させて加熱し、このときのコイル２８による熱発生効率を高めるために、加熱ベルト２３及び加熱ローラ２１に鎖交する交番磁束を増加させる磁性体コア４１が設けられている。この磁性体コア４１は、周囲をコイル巻線が周回するセンタコア４２と、コイル巻線の両側に配置されたサイドコア４３と、これらセンタコア４２及びサイドコア４３を周方向に橋絡する橋絡部４４とを有しており、センタコア４２から橋絡部４４を経てサイドコア４３に至り、さらにサイドコア４３から加熱ベルト２３を経てセンタコア４２に至る磁束が形成され、加熱ベルト２３が効率良く加熱される。
【００３０】
コイル２８は、センタコア４２を挟んで形成される片側の巻線部分２８ａ・２８ｂにおける周方向の中心部分に対応する加熱ベルト２３の部分で高い発熱を生じさせる。ここでは、加熱ベルト２３の移動方向下流側に位置する一方の巻線部分２８ａの中心部分に対してバイメタル部材３３を対向させるようにサーモスタット３２が配置され、加熱ベルト２３の最も高温に発熱する部分の温度を検出する。
【００３１】
図４は、図１に示した定着部の制御に関係する要部の概略構成を示している。サーミスタ３５により検出される加熱ベルト２３の温度情報は、正常時温度制御を行うＣＰＵ５１に送られ、ここで取得した温度情報に基づいてコイル（電磁誘導加熱手段）２８に印加する交流電流を調節して加熱ベルト２３の温度を制御する。ＣＰＵ５１が設けられた制御基板５２には、ＣＰＵ５１での制御に要するプログラムが格納されるＲＯＭ５３と、ＣＰＵ５１での処理に要するデータが格納されるＲＡＭ５４が設けられている。またコイル２８は、電源基板５６に設けられたＩＨ電源部５７により駆動され、ＡＣ入力部５８から入力される交流電圧が、制御基板５２から入力される制御信号にしたがってコイル２８に印加される。
【００３２】
また電源基板５６のＩＨ電源部５７には、サーモスタット３２の２端子が直接接続され、加熱ベルト２３が所定の温度を超えることでサーモスタット３２が断線状態になると、ＡＣ入力部５８から入力される交流電圧がコイル２８に印加されるのを遮断する。そして異常温度上昇によりコイル２８への給電を停止したことを示す異常信号がＣＰＵ（制御手段）５１に送られ、ＣＰＵ５１では、ＩＨ電源部５７から異常信号を受け取ると、操作表示部５５及び制御基板５２を除く各部への給電を停止するなどして装置の動作を制限すると共に、操作表示部５５に所定のエラーメッセージを表示させる、あるいは警告ランプを点灯させるなどの表示処理を行わせ、装置を操作するオペレータに異常温度上昇により装置を停止させた旨の通知を行う。なお、所定の通信媒体を介して接続された監視端末などに対して異常停止を示す信号を送信するものとしても良い。
【００３３】
図５は、図１に示した定着部を下方から見た断面図である。サーモスタット３２は、軸方向に延在するステー６１に保持された状態で加熱ローラ２１の内部に収容されており、加熱ローラ２１の軸方向端部に設けられた保持部材６２にステー６１の軸方向の両端が支持され、またサーモスタット３２に接続された被覆導線６３が両端の保持部材６２を挿通して外部に導出されている。外部に導出された被覆導線６３の末端は図４に示されるようにＩＨ電源部５７に接続される。特にここでは、サーモスタット３２が一対設けられており、この一対のサーモスタット３２は、板状導体６４を介して直列接続されている。またここでは、加熱ベルト２３の温度を検出するサーミスタ３５が、軸方向の中心位置に１つ設けられている。
【００３４】
図６は、図５に示した定着部の変形例を示している。ここでは、軸方向の中心位置にサーミスタ３５が設けられている他に、軸方向の端部にサーミスタ６７が設けられている。中心のサーミスタ３５は温度制御に用いられ、端部のサーミスタ６７は、小サイズの記録紙を連続通紙した際の非通紙部の昇温を検知して定着制御を補正するものである。
【００３５】
図７は、図１に示した定着部の第２の実施形態を示している。ここでは、正常時温度制御のためのサーミスタ（温度検出手段）７１が、定着ニップ部２５の下流側に配設されている。この場合、記録紙に対する定着処理による温度降下を検出することができるため、記録紙の先端が進入した直後、並びに記録紙の後端が抜け出した直後の温度制御を的確に行うことができる。
【００３６】
図８は、図１に示した定着部の第３の実施形態を示している。ここでは、正常時温度制御のために、定着ニップ部２５の上流側と下流側との双方にサーミスタ（温度検出手段）８１・８２が配設されている。この場合、上流側のサーミスタ８１の検出温度に基づいて安定した温度制御を実現すると共に、下流側のサーミスタ８２の検出温度に基づいて応答性に優れた温度制御を実現することができる。
【００３７】
図９は、図１に示した定着部の第４の実施形態を示している。ここでは、サーモスタット（異常時給電停止手段）９１が、バイメタル部材（測温部）９２を加熱ローラ９３を挟んでコイル２８に対向させた状態で、加熱ローラ９３の外部でかつ加熱ベルト２３の内側のスペースに配設されている。また加熱ローラ９３の内部には、コイル２８の発熱効率を上げるための磁性コア（高透磁率層）９４が配設されている。
【００３８】
図１０は、図１に示した定着部の第５の実施形態を示している。ここでは、加熱ベルト２３における電磁誘導昇温部分が所定の温度を超えるとコイル（電磁誘導加熱手段）への給電を停止する温度ヒューズ（異常時給電停止手段）１０１が、筒状をなす加熱ローラ２１の内部のスペースに収容されており、加熱ローラ２１の周壁内面からの輻射熱及び雰囲気温度の上昇により温度ヒューズ１０１が所定の温度以上に昇温すると溶断して断線状態となる。
【００３９】
図１１は、図１に示した定着部の第６の実施形態を示している。ここでは、サーモスタット３２を保持する金属製のステー（保持部材）６１が筒状の断熱材１１１で覆われている。また、サーミスタ３５を保持する金属製のステー（保持部材）３７が筒状の断熱材１１２で覆われている。これらの断熱材１１１・１１２は、シリコーンゴムなどの耐熱性ゴム材料からなっている。これにより、コイル２８による昇温時に、ステー６１・３７自体への伝熱並びにステー６１・３７を介した外部への放熱により熱が奪われることを抑制して、ウォームアップ時間を短縮することができる。なお、断熱材１１１・１１２は、熱収縮チューブ、すなわちポリオレフィン及びフッ素樹脂などの熱収縮性の材料にて予め筒状に成形され、加熱によりステー６１・３７に密着固定させる構成のものでも良い。
【００４０】
図１２は、図１１に示した定着部を下方から見た断面図である。図５に示したようにサーモスタット３２を保持するステー６１は、加熱ローラ２１の内部のスペースにおいてその軸方向に長く延在しており、このステー６１におけるサーモスタット３２の配設部分を除いた長手方向の略全領域を覆うように筒状の断熱材１１１が設けられている。また、図１１に示したサーミスタ３５を保持するステー３７も加熱ベルト２３の内側のスペースにおいてその幅方向に長く延在しており、サーミスタ３５を支持する板ばね３６と干渉しない態様で筒状の断熱材１１２がステー３７の長手方向の略全領域に渡って配設される。
【産業上の利用可能性】
【００４１】
本発明にかかる電磁誘導加熱型定着装置及びこれを備えた画像形成装置は、加熱ベルトにおける電磁誘導昇温部分の温度に基づいて電磁誘導加熱手段への給電を停止する異常時給電停止手段により異常時の応答性を高めると共に誤作動を抑制することができ、しかも加熱ベルトにおける定着ニップ部近傍部分の温度を温度検出手段により検出することで正常時温度制御を的確に行うことができる効果を有し、電磁誘導作用により加熱ベルトを加熱する構成の定着装置及びこれを備えた画像形成装置などとして有用である。
【図面の簡単な説明】
【００４２】
【図１】本発明が適用された複写機の概略構成を示す模式的な断面図
【図２】図１に示した定着部の第１の実施形態を詳細に示す断面図
【図３】図２に示した定着部の要部を拡大して示す断面図
【図４】図１に示した定着部の制御に関係する要部の概略構成を示すブロック図
【図５】図１に示した定着部を下方から見た断面図
【図６】図５に示した定着部の変形例を示す図
【図７】図１に示した定着部の第２の実施形態を示す断面図
【図８】図１に示した定着部の第３の実施形態を示す断面図
【図９】図１に示した定着部の第４の実施形態を示す断面図
【図１０】図１に示した定着部の第５の実施形態を示す断面図
【図１１】図１に示した定着部の第６の実施形態を示す断面図
【図１２】図１１に示した定着部を下方から見た断面図
【符号の説明】
【００４３】
３  定着部（定着装置）
２１  加熱ローラ
２２  定着ローラ
２３  加熱ベルト
２５  定着ニップ部
２６  加圧ローラ
２８  コイル（電磁誘導加熱手段）
３２  サーモスタット（異常時給電停止手段）
３３  バイメタル部材（測温部）
３５  サーミスタ（温度検出手段）
３７  ステー（保持部材）
５１  ＣＰＵ（制御手段）
５５  操作表示部
５７  ＩＨ電源部
６１  ステー（保持部材）
７１  サーミスタ（温度検出手段）
８１・８２  サーミスタ
９１  サーモスタット（異常時給電停止手段）
９２  バイメタル部材（測温部）
９３  加熱ローラ
９４  磁性コア（高透磁率層）
１０１  温度ヒューズ
１１１・１１２  断熱材
Ｓ  記録紙（画像形成媒体）
Ｔ  トナー像
【図１】
2005037858.tif 000003
【図２】
2005037858.tif 000004
【図３】
2005037858.tif 000005
【図４】
2005037858.tif 000006
【図５】
2005037858.tif 000007
【図６】
2005037858.tif 000008
【図７】
2005037858.tif 000009
【図８】
2005037858.tif 000010
【図９】
2005037858.tif 000011
【図１０】
2005037858.tif 000012
【図１１】
2005037858.tif 000013
【図１２】
2005037858.tif 000014